【手続補正書】
【提出日】平成18年7月24日(2006.7.24)
【手続補正１】
【補正対象書類名】明細書
【補正対象項目名】特許請求の範囲
【補正方法】変更
【補正の内容】
【特許請求の範囲】
【請求項１】  式Ｉ、II又はIII
【化１】
2002523398.tif 000001
（式中、
ｍは、０又は１であり、
ｎは、１、２又は３であり、
Ｒ1は、非置換であるか、基Ｃ1〜Ｃ12アルキル、Ｃ1〜Ｃ4ハロアルキル、ハロゲン、フェニル、ＯＲ6、ＮＲ7Ｒ8、ＳＲ9及び／又は−Ｓ−フェニルの１個以上によって置換されているフェニルであり、置換基ＯＲ6、ＳＲ9及びＮＲ7Ｒ8は、基Ｒ6、Ｒ7、Ｒ8及び／又はＲ9を介してフェニル環上のさらなる置換基又はフェニル環の炭素原子の１個とで５又は６員環を形成することができ、あるいは、Ｒ1は、ナフチル、アントラシル又はフェナントリルであり、基ナフチル、アントラシル及びフェナントリルは、非置換であるか、Ｃ1〜Ｃ6アルキル、フェニル、ＯＲ6、ＮＲ7Ｒ8、ＳＲ9及び／又は−Ｓ−フェニルによって置換されており、置換基ＯＲ6、ＳＲ9及びＮＲ7Ｒ8は、基Ｒ6、Ｒ7、Ｒ8及び／又はＲ9を介してナフチル、アントラシルもしくはフェナントリル環上のさらなる置換基又はナフチル、アントラシルもしくはフェナントリル環の炭素原子の１個とで５又は６員環を形成することができ、あるいは、Ｒ1は、非置換であるか、Ｃ1〜Ｃ6アルキル、フェニル、ＯＲ6、ＮＲ7Ｒ8、ＳＲ9及び／又は−Ｓ−フェニルによって置換されているヘテロアリール基であり、置換基ＯＲ6、ＳＲ9及びＮＲ7Ｒ8は、基Ｒ6、Ｒ7、Ｒ8及び／又はＲ9を介してヘテロアリール環上のさらなる置換基又はヘテロアリール環の炭素原子の１個とで５又は６員環を形成することができ、あるいは、Ｒ1は、Ｃ2〜Ｃ12アルケニル、Ｃ4〜Ｃ8シクロアルケニル又はＣ6〜Ｃ12ビシクロアルケニルであり、ただし、基Ｃ2〜Ｃ12アルケニル、Ｃ4〜Ｃ8シクロアルケニル又はＣ6〜Ｃ12ビシクロアルケニルの二重結合（単数又は複数）は、Ｒ4及びＲ5によって置換されている二重結合と共役しており、あるいは、ｍが０であるならば、Ｒ1はさらに、ベンゾイル、２−フロイル、２−チオフェンカルボニル、２−ピリジンカルボニル又は２−ピロールカルボニルであり、基ベンゾイル、２−フロイル、２−チオフェンカルボニル、２−ピリジンカルボニル又は２−ピロールカルボニルは、非置換であるか、基Ｃ1〜Ｃ12アルキル、Ｃ1〜Ｃ4ハロアルキル、ハロゲン、フェニル、ＯＲ6、ＮＲ7Ｒ8、ＳＲ9及び／又は−Ｓ−フェニルの１個以上によって置換されており、置換基ＯＲ6、ＳＲ9及びＮＲ7Ｒ8は、基Ｒ6、Ｒ7、Ｒ8及び／又はＲ9を介してベンゾイル、２−フロイル、２−チオフェンカルボニル、２−ピリジンカルボニルもしくは２−ピロールカルボニル環上のさらなる置換基又はベンゾイル、２−フロイル、２−チオフェンカルボニル、２−ピリジンカルボニルもしくは２−ピロールカルボニル環の炭素原子の１個とで５又は６員環を形成することができ、あるいは、ｍが０であり、ｎが１であり、同時に、Ｒ5が、非置換であるか、１個以上のＣ1〜Ｃ12アルキル、Ｃ1〜Ｃ4ハロアルキル、ハロゲン、フェニル、ＯＲ6、ＮＲ7Ｒ8、ＳＲ9及び／又は−Ｓ−フェニルによって置換されているフェニルであるならば、Ｒ1はさらに水素又はハロゲンであり、
Ｒ′1は、ビニレン、フェニレン、ナフチレン、
【化２】
2002523398.tif 000002
ジフェニレン又はオキシジフェニレンであり、基フェニレン、ナフチレン、
【化３】
2002523398.tif 000003
ジフェニレン及びオキシジフェニレンは、非置換であるか、Ｃ1〜Ｃ12アルキルによって置換されており、
Ｒ2は、ＣＮ、Ｃ1〜Ｃ4ハロアルキル、Ｃ2〜Ｃ6アルコキシカルボニル、フェノキシカルボニル、Ｃ1〜Ｃ6アルキル−Ｓ（Ｏ）x−、非置換であるか、Ｃ1〜Ｃ12アルキルによって置換されているＣ6〜Ｃ12アリール−Ｓ（Ｏ）x−であるか、あるいは、Ｒ2は、Ｃ1〜Ｃ6アルキル−ＳＯ2Ｏ−、Ｃ6〜Ｃ10アリール−ＳＯ2Ｏ−、ジフェニル−ホスフィノイルであるか、あるいは、Ｒ2は、非置換であるか、ＣＮ、ＮＯ2又はＣ1〜Ｃ4ハロアルキルによって置換されているベンゾイルであり、
ｘは、１又は２であり、
Ｒ3は、Ｃ1〜Ｃ18アルキルスルホニル、フェニル−Ｃ1〜Ｃ3アルキルスルホニル、カンホリルスルホニル、Ｃ1〜Ｃ10ハロアルキルスルホニル、フェニルスルホニル、ナフチルスルホニル、アントラシルスルホニル又はフェナントリルスルホニルであり、基フェニル−Ｃ1〜Ｃ3アルキルスルホニル、フェニルスルホニル、ナフチルスルホニル、アントラシルスルホニル及びフェナントリルスルホニルの基フェニル、ナフチル、アントラシル及びフェナントリルは、非置換であるか、１個以上のハロゲン、Ｃ1〜Ｃ4ハロアルキル、ＣＮ、ＮＯ2、Ｃ1〜Ｃ16アルキル、フェニル、Ｃ1〜Ｃ4アルキルチオ、ＯＲ6、ＣＯＯＲ9、Ｃ1〜Ｃ4アルキル−ＯＣＯ−、Ｒ9ＯＳＯ2−及び／又はＮＲ7Ｒ8によって置換されており、あるいは、Ｒ3は、Ｃ2〜Ｃ6ハロアルカノイル、ハロベンゾイル、トリフェニルシリル又は基
【化４】
2002523398.tif 000004
であり、
Ｙ1、Ｙ2及びＹ3は、互いに独立して、Ｏ又はＳであり、
Ｒ′3は、Ｃ2〜Ｃ12アルキレンジスルホニル、フェニレンジスルホニル、ナフチレンジスルホニル、
【化５】
2002523398.tif 000005
ジフェニレンジスルホニル又はオキシジフェニレンジスルホニルであり、基フェニレンジスルホニル、ナフチレンジスルホニル、
【化６】
2002523398.tif 000006
ジフェニレンジスルホニル又はオキシジフェニレンジスルホニルの基フェニレン、ナフチレン、
【化７】
2002523398.tif 000007
ジフェニレン及びオキシジフェニレンは、非置換であるか、Ｃ1〜Ｃ12アルキルによって置換されており、
Ｒ4及びＲ5は、互いに独立して、水素、ハロゲン、Ｃ1〜Ｃ8アルキル、Ｃ1〜Ｃ6アルコキシ、Ｃ1〜Ｃ4ハロアルキル、ＣＮ、ＮＯ2、Ｃ2〜Ｃ6アルカノイル、ベンゾイル、フェニル、−Ｓ−フェニル、ＯＲ6、ＳＲ9、ＮＲ7Ｒ8、Ｃ2〜Ｃ6アルコキシカルボニル又はフェノキシカルボニルであるか、あるいは、Ｒ4とＲ5とがいっしょになって直接結合であり、
Ｒ6は、水素、フェニル、非置換であるか、フェニル、ＯＨ、Ｃ1〜Ｃ12アルコキシ、Ｃ1〜Ｃ12アルキルスルホニル、フェニルスルホニル、（４−メチルフェニル）スルホニル及び／又はＣ2〜Ｃ6アルカノイルによって置換されているＣ1〜Ｃ12アルキルであるか、あるいは、Ｒ6は、１個以上の−Ｏ−又は−Ｓ−によって中断されているＣ2〜Ｃ12アルキルであり、中断されているＣ2〜Ｃ12アルキルは、非置換であるか、フェニル、ＯＨ、Ｃ1〜Ｃ12アルコキシ、Ｃ1〜Ｃ12アルキルスルホニル、フェニルスルホニル、（４−メチルフェニル）スルホニル及び／又はＣ2〜Ｃ6アルカノイルによって置換されており、
Ｒ7及びＲ8は、互いに独立して、水素又は非置換であるか、ＯＨ、Ｃ1〜Ｃ4アルコキシ、Ｃ1〜Ｃ12アルキルスルホニル、フェニルスルホニル、（４−メチル−フェニル）スルホニル及び／又はＣ1〜Ｃ6アルカノイルによって置換されているＣ1〜Ｃ12アルキルであるか、あるいは、Ｒ7及びＲ8は、１個以上の−Ｏ−によって中断されているＣ2〜Ｃ12アルキルであり、−Ｏ−で中断されているＣ2〜Ｃ12アルキルは、非置換であるか、ＯＨ、Ｃ1〜Ｃ4アルコキシ、Ｃ1〜Ｃ12アルキルスルホニル、フェニルスルホニル、（４−メチルフェニル）スルホニル及び／又はＣ1〜Ｃ6アルカノイルによって置換されており、あるいは、Ｒ7及びＲ8は、フェニル、Ｃ2〜Ｃ6アルカノイル、ベンゾイル、Ｃ1〜Ｃ6アルキルスルホニル、フェニルスルホニル、（４−メチルフェニル）スルホニル、ナフチルスルホニル、アントラシルスルホニル又はフェナントリルスルホニルであるか、あるいは、Ｒ7とＲ8とは、それらが結合する窒素原子といっしょになって、−Ｏ−又は−ＮＲ6−によって中断されていてもよい５、６又は７員環を形成し、
Ｒ9は、非置換であるか、ＯＨ及び／又はＣ1〜Ｃ4アルコキシによって置換されているＣ1〜Ｃ12アルキルであるか、あるいは、Ｒ9は、１個以上の−Ｏ−又は−Ｓ−によって中断されているＣ2〜Ｃ12アルキルであり、中断されているＣ2〜Ｃ12アルキルは、非置換であるか、ＯＨ及び／又はＣ1〜Ｃ4アルコキシによって置換されており、
Ｒ10、Ｒ11及びＲ12は、互いに独立して、非置換であるか、ハロゲンによって置換されているＣ1〜Ｃ6アルキルであるか、あるいは、Ｒ10、Ｒ11及びＲ12は、非置換であるか、Ｃ1〜Ｃ4アルキル又はハロゲンによって置換されているフェニルであるか、あるいは、Ｒ11とＲ12とがいっしょになって、非置換であるか、Ｃ1〜Ｃ4アルキル又はハロゲンによって置換されている１，２−フェニレン又はＣ2〜Ｃ6アルキレンであり、
ただし、ｍ及びｎがいずれも１であり、Ｒ4及びＲ5がいずれも水素であり、Ｒ1がフェニルであるならば、Ｒ3は、ｐ−トリルスルホニルではない）
の化合物。
【請求項２】  ｎが１であり、ｍが０又は１であり、
Ｒ1が、非置換のフェニル又はＣ1〜Ｃ4アルキルもしくはＯＲ6によって置換されているフェニルであり、
Ｒ2がＣＮであり、
Ｒ3がＣ1〜Ｃ4アルキルスルホニルであり、Ｒ4及びＲ5が、互いに独立して、水素又はＣ1〜Ｃ4アルキルである、請求項１記載の式Ｉの化合物。
【請求項３】  式Ｉａ
【化１０】
2002523398.tif 000008
（式中、Ｒ1、Ｒ2、Ｒ3、Ｒ4及びＲ5は、請求項１で定義したとおりである）
の化合物。
【請求項４】  ａ）酸の作用の下で架橋させることができる少なくとも１種の化合物及び／又は
ｂ）酸の作用の下で溶解性が変化する少なくとも１種の化合物及び、
ｃ）潜在的な酸光開始剤として、請求項１記載の式Ｉ、II又はIIIの少なくとも１種の化合物とを含む組成物。
【請求項５】  成分ｃ）に加えて、さらなる光開始剤、増感剤及び／又は添加物を含む、請求項４記載の組成物。
【請求項６】  酸の作用の下で架橋させることができる化合物を架橋させる方法であって、請求項１記載の式Ｉ、II及び／又はIIIの化合物を前記化合物に加え、１８０〜１５００nmの範囲の波長を有する光を画像様又は全区域に照射することを含む方法。
【請求項７】  表面被覆、印刷インク、版面、歯科用組成物、カラーフィルタ、レジスト材料及び画像記録材料又はホログラフィー像の像記録材料の製造方法であって、１８０〜１５００nmの範囲の波長を有する光を請求項４又は５記載の組成物に照射することを含む方法。
【請求項８】  請求項１記載の式Ｉ、II又はIIIの化合物を感光性酸供与体として使用する、表面被覆、印刷インク、版面、歯科用組成物、カラーフィルタ、レジスト材料又は画像記録材料もしくはホログラフィー像の像記録材料の製造方法。
【請求項９】  請求項１記載の式Ｉ、II及び／又はIIIの少なくとも１種の化合物を感光性酸供与体として含むフォトレジスト。
【請求項１０】  １８０nmの波長領域まで透明であるポリマーを含む、請求項９記載のフォトレジスト。